(57)【要約】【課題】  オーディオカセットプレーヤに挿入できるオーディオカセットの形のワイヤレスカセットアダプタを提供すること。【解決手段】  １つ又は複数のワイヤレスモバイル装置１１０，１１５へのワイヤレスインターフェースは、ワイヤレスカセットアダプタ１０５によって確立され、ワイヤレスモバイル装置からオーディオデータを受け取る。ワイヤレスカセットアダプタはそのオーディオデータを処理し、ワイヤレスモバイル装置からのオーディオデータを再生する既存のオーディオシステム１６０に接続されたカセットプレーヤにアナログフォーマットでデータを転送する。ワイヤレスカセットアダプタは音声入力を受け取り、ワイヤレスモバイル装置で実行される電話呼の一部として又は音声認識の実行においてワイヤレスモバイル装置に送信される。【選択図】  図１
2005322397.tif 000002
【特許請求の範囲】
【請求項１】
オーディオカセットの形状要素で物理的に寸法が設定されたハウジングと、
該ハウジング内に収納された、ワイヤレスモバイル装置と通信するためのワイヤレスインターフェースと、
前記ハウジング内に収納され、ワイヤレスカセットアダプタがオーディオシステムのカセットプレーヤに挿入されているとき、前記ワイヤレスインターフェースによって前記ワイヤレスモバイル装置から受け取ったオーディオデータが、前記オーディオシステムによって再生されるように、該オーディオシステムと通信するためのオーディオシステムインターフェースと
を備えていることを特徴とするワイヤレスカセットアダプタ。
【請求項２】
前記ワイヤレスインターフェースは、ＲＦ無線機を備えていることを特徴とする請求項１に記載のワイヤレスカセットアダプタ。
【請求項３】
前記ワイヤレスインターフェースは、ブルートゥースワイヤレス技術を使用することを特徴とする請求項１に記載のワイヤレスカセットアダプタ。
【請求項４】
前記オーディオシステムインターフェースは、前記カセットプレーヤのピックアップヘッドと通信する磁気ヘッドを備えていることを特徴とする請求項１に記載のワイヤレスカセットアダプタ。
【請求項５】
前記オーディオシステムへの前記インターフェースに渡される無線ブロードキャストを受け取るために１つ又は複数の無線周波数帯域をサポートする無線受信機をさらに備え、前記無線ブロードキャストは、オーディオが前記ワイヤレスインターフェースによって受け取られるときに中断されることを特徴とする請求項１に記載のワイヤレスカセットアダプタ。
【請求項６】
巻取り／繰出しリール及びピックアップヘッドを有するカセットプレーヤとともに使用できるように適合されたワイヤレスカセットアダプタであって、
ワイヤレスモバイル装置とのワイヤレス接続を確立するための無線機と、
前記ワイヤレスカセットアダプタが、前記カセットプレーヤ内に配置されているとき、該カセットプレーヤの前記巻取り／繰出しリール及びピックアップヘッドの動き及び起動を感知するための１つ又は複数の変換器と、
該変換器から入力を受け取り、該入力をコマンドに変換するためのプロセッサとを備え、前記コマンドは、前記無線機に渡されて前記ワイヤレスモバイル装置に送信される
ことを特徴とするワイヤレスカセットアダプタ。
【請求項７】
前記ワイヤレスモバイル装置は、オーディオとして前記ワイヤレスカセットアダプタに送信されるコマンドを使用し、前記ワイヤレスモバイル装置内で媒体の再生を制御することを特徴とする請求項６に記載のワイヤレスカセットアダプタ。
【請求項８】
オーディオカセットの形状要素によることを特徴とする請求項６に記載のワイヤレスカセットアダプタ。
【請求項９】
前記無線機は、ブルートゥース無線機であることを特徴とする請求項６に記載のワイヤレスカセットアダプタ。
【請求項１０】
ユーザからの音声入力を受け取るためのマイクロホンをさらに備え、前記プロセッサは前記音声入力を受け取り、該音声入力を音声データ及びコマンドに変換し、該音声データ及びコマンドは、前記無線機に渡されて前記ワイヤレスモバイル装置に送信されることを特徴とする請求項６に記載のワイヤレスカセットアダプタ。
【請求項１１】
前記音声データ及びコマンドを選択的に処理するベースバンドプロセッサをさらに備えていることを特徴とする請求項１０に記載のワイヤレスカセットアダプタ。
【請求項１２】
前記マイクロホンは、前記カセットプレーヤからある距離のところに前記マイクロホンを配置するブーム上に取り付けられていることを特徴とする請求項１０に記載のワイヤレスカセットアダプタ。
【請求項１３】
アナログデータとして前記磁気ヘッドに渡される無線ブロードキャストを受け取るために１つ又は複数の無線周波数帯域をサポートする無線受信機をさらに備え、前記無線ブロードキャストは、前記無線機が前記ワイヤレスモバイル装置への前記ワイヤレス接続を確立したときに中断されることを特徴とする請求項６に記載のワイヤレスカセットアダプタ。
【請求項１４】
カセットプレーヤとともに使用できるように適合されたワイヤレスカセットアダプタであって、
ワイヤレスモバイル装置との間でＲＦデータを送受信するためのアンテナと、
該アンテナに接続され、デジタルデータを、前記アンテナを介して送信される前記ＲＦデータに変換し、前記アンテナが受け取った前記ＲＦデータをデジタルデータに変換するための無線機と、
デジタルデータを前記無線機に提供するためのプロセッサと
を備えていることを特徴とするワイヤレスカセットアダプタ。
【請求項１５】
前記受け取ったＲＦデータは、前記ワイヤレスモバイル装置のオーディオデータを含んでおり、該オーディオデータは、前記カセットプレーヤに接続されたオーディオシステムによって再生されることを特徴とする請求項１４に記載のワイヤレスカセットアダプタ。
【請求項１６】
前記送信したＲＦデータは、音声データ及びコマンドを含んでいることを特徴とする請求項１４に記載のワイヤレスカセットアダプタ。
【請求項１７】
ユーザからの音声入力を受け取るためのマイクロホンをさらに備え、前記プロセッサは前記音声入力を受け取り、該音声入力を音声データ及びコマンドに変換し、該音声データ及びコマンドは、前記無線機に渡されて前記ワイヤレスモバイル装置に送信されることを特徴とする請求項１４に記載のワイヤレスカセットアダプタ。
【請求項１８】
前記ワイヤレスモバイル装置で実行される電話呼の一部として又は音声認識の実行において前記音声データを送信することを特徴とする請求項１７に記載のワイヤレスカセットアダプタ。
【請求項１９】
ワイヤレスモバイル装置のオーディオデータを、カセットプレーヤを有する別個のオーディオシステム上で再生するオーディオデータ再生方法であって、
前記オーディオデータを提供する前記ワイヤレスモバイル装置へのワイヤレス接続を確立するステップと、
前記ワイヤレスモバイル装置から前記オーディオデータを受け取るステップと、
前記オーディオデータを、前記オーディオシステム上で再生するために前記カセットプレーヤに転送されるアナログデータに変換するステップと
を有することを特徴とするオーディオデータ再生方法。
【請求項２０】
前記確立するステップは、利用可能なワイヤレスモバイル装置への接続を要求することによって行われることを特徴とする請求項１９に記載のオーディオデータ再生方法。
【請求項２１】
前記確立するステップ及び受け取るステップは、ブルートゥースワイヤレス技術を使用して行われることを特徴とする請求項１９に記載のオーディオデータ再生方法。
【請求項２２】
オーディオデータ及び音声データを区別するステップをさらに有し、データ保全性チェックはオーディオデータに対して行われることを特徴とする請求項１９に記載のオーディオデータ再生方法。
【請求項２３】
実行時に請求項１９に記載のオーディオ再生方法を実行するコンピュータ実行可能な命令を含む１つ又は複数のコンピュータ読取り可能な媒体。
【請求項２４】
巻取り／繰出しリール及びピックアップヘッドを有するカセットプレーヤからワイヤレスモバイル装置にデータを送るデータ送信方法であって、
前記ワイヤレスモバイル装置へのワイヤレス接続を確立するステップと、
前記巻取り／繰出しリール又はピックアップヘッドの動作を示す入力を受け取るステップと、
前記入力をコマンドに変換するステップと、
前記コマンドを、前記ワイヤレス接続を介して前記ワイヤレスモバイル装置に送るステップと
を有することを特徴とするデータ送信方法。
【請求項２５】
前記確立するステップは、ブルートゥースワイヤレス技術を使用して行われることを特徴とする請求項２４に記載のデータ送信方法。
【請求項２６】
前記受け取るステップは、マイクロホンからの音声入力を受け取るステップをさらに有することを特徴とする請求項２４に記載のデータ送信方法。
【請求項２７】
ワイヤレスカセットアダプタとともに使用され、該ワイヤレスカセットアダプタ上で実行されるときに、該ワイヤレスカセットアダプタに実行させる命令を含む記憶媒体であって、
ワイヤレスモバイル装置へのインターフェースを取る接続動作と、
前記ワイヤレスモバイル装置からオーディオデータを受け取る動作と、
前記オーディオデータをアナログデータに変換する動作と、
前記アナログデータを、前記ワイヤレスモバイル装置とは別個のオーディオシステム上で再生するためにカセットプレーヤのピックアップヘッドに渡す動作と
を有することを特徴とする記憶媒体。
【請求項２８】
前記接続動作は、ブルートゥースワイヤレス技術を使用して行われることを特徴とする請求項２７に記載の記憶媒体。
【請求項２９】
前記オーディオデータ及び音声データを区別する動作と、前記オーディオデータ及び音声データを別々に処理する動作とをさらに有することを特徴とする請求項２７に記載の記憶媒体。
【請求項３０】
ワイヤレスカセットアダプタとともに使用され、該ワイヤレスカセットアダプタ上で実行されるときに、該ワイヤレスカセットアダプタに実行させる命令を含む記録媒体であって、
ワイヤレスモバイル装置へのインターフェースを取る接続動作と、
音声入力ならびにカセットプレーヤのリールの動き及びピックアップヘッドの起動に関連した変換器入力を含む入力を受け取る動作と、
前記入力をデジタルデータ及びコマンドに変換する動作と、
前記デジタルデータ及びコマンドを、ワイヤレスリンクを介して前記ワイヤレスモバイル装置に送る動作と
を有することを特徴とする記憶媒体。
【請求項３１】
前記インターフェースを取る接続動作は、ブルートゥース技術を使用して行われることを特徴とする請求項３０に記載の記憶媒体。
【発明の詳細な説明】
【技術分野】
【０００１】
本発明は、ワイヤレスカセットアダプタ及びオーディオデータ再生方法並びにデータ送信方法に関し、より詳細には、モバイルオーディオ装置にワイヤレスに接続されてそれと通信し、そのモバイルオーディオ装置にオーディオシステムへのインターフェースを提供するオーディオアダプタに関する。特に、ワイヤレス対応モバイルオーディオ装置にワイヤレスに接続されるカセットプレーヤで受けられるカセットオーディオアダプタに関する。
【背景技術】
【０００２】
携帯電話、ラップトップコンピュータ、ＭＰ３プレーヤ、ＤＶＤ／ＣＤプレーヤなどのモバイル装置は、通常、オーディオ音を出力するための内蔵スピーカを装備している。通常、こうした内蔵スピーカは小さく、その音は比較的低音質でモノラルである。さらに、このような内蔵スピーカは音量が限られており、そうしたモバイル装置からのオーディオ出力が十分に聞こえないことがある。
【０００３】
自動車内などに設置されているオーディオシステムは、モバイル装置によって提供される低音量、低音質のオーディオと比べて、高音質のマルチチャネル（例えば、ステレオ）音を提供している。こうしたオーディオシステムは、複数のスピーカ、増幅回路、音声等化器（ｓｏｕｎｄ  ｅｑｕａｌｉｚａｔｉｏｎ）及び音量制御機構を備えている。これらのオーディオシステムは、通常、他の装置へのワイヤレスインターフェースのない有線システムである。言い換えれば、ワイヤレス装置用の有線クレイドル（ｈａｒｄ−ｗｉｒｅｄ  ｃｒａｄｌｅ）など、装置のための接続が提供されなければ、装置はそうしたオーディオシステムに接続されず、それを利用することができない。したがって、モバイル装置用のインターフェースが提供されなければ、そのモバイル装置は既存のオーディオシステムを利用する（すなわち、それにオーディオを提供する）ことができない。
【０００４】
車内での携帯電話などのモバイル装置の操作は、危険ではないにしても、面倒なことがある。現在の解決策としては、携帯電話を載せるクレイドルへの有線インターフェースを提供する「ハンズフリー」キットが挙げられる。「ハンズフリー」キット及びそのインターフェースは、自動車用オーディオシステムを利用できるものもできないものもある。こうした「ハンズフリー」キットは、個々の装置（例えば、携帯電話）をサポートする装置特有のハードウェア（例えば、クレイドル）を使用する。通常、他の装置（又は携帯電話）は、装置特有の「ハンズフリー」キットによってサポートされない。したがって、複数の装置（又は複数の携帯電話）をサポートするために複数のキットが必要になることがある。さらに、「ハンズフリー」キットは、外部にあるケーブル及びクレイドルハードウェアを利用しているが、それらは場所を取り邪魔になることがある。
【０００５】
ＭＰ３プレーヤ、ＣＤプレーヤ、デジタルレコーダなど、ある種の装置は、再生、巻戻し、早送りを含むメニュー機能を提供することができる。通常、ユーザはそうした機能を個々の装置を介して直接操作する。これは、特に車を運転しているときに面倒な操作になることがある。車内のオーディオシステムなどのオーディオシステムの一部であるカセットプレーヤは、再生、巻戻し、早送りのための命令を提供するマニュアルインターフェース（例えば、ボタン）を備えている。「ハンズフリー」キット又は他の解決策は、装置のオーディオシステムへのインターフェースを提供することができるが、カセットプレーヤから開始される制御情報をワイヤレスモバイル装置に送ることができるようにはしない。
【０００６】
「ハンズフリー」キットを使用する装置を操作するとき、ユーザは、その装置の操作を行うか、あるいは自動車用オーディオシステムの一部であるラジオを聴くかを選ばなければならないことがある。一例として、ユーザは、携帯電話を操作するためにラジオを消さなければならない（すなわち、切り替えなければならない）ことがある。他の場合として、ユーザがラジオを聴いているとき、「ハンズフリー」キットによって接続されている携帯電話からの着信呼出しに応答し損なうことがある。
【発明の開示】
【発明が解決しようとする課題】
【０００７】
本発明は、このような状況に鑑みてなされたもので、その目的とするところは、モバイルオーディオ装置にワイヤレスに接続されてそれと通信し、そのモバイルオーディオ装置にオーディオシステムへのインターフェースを備えたワイヤレスカセットアダプタ及びオーディオデータ再生方法並びにデータ送信方法を提供することにある。
【課題を解決するための手段】
【０００８】
オーディオカセットの形のワイヤレスカセットアダプタは、ワイヤレスモバイル装置の既存のオーディオシステムへのオーディオインターフェースを提供する。ワイヤレスカセットアダプタは、普通のオーディオカセットプレーヤに挿入することができる。挿入されると、それは、１つ又は複数のワイヤレスモバイル装置へのワイヤレスインターフェースを確立し、そのワイヤレスモバイル装置からオーディオ（音声を含む）データを受け取る。カセットアダプタはそのオーディオデータを処理し、既存のオーディオシステムに接続されたカセットプレーヤにそのデータをアナログフォーマットで転送する。したがって、ワイヤレスモバイル装置からのオーディオデータが、既存のオーディオシステムによって再生される。
【０００９】
さらに、ワイヤレスカセットアダプタは、ユーザからワイヤレスモバイル装置に送られる音声入力を受け取るように構成することができる。こうした音声入力には、携帯電話を使用するときのユーザ通信及びユーザからワイヤレスモバイル装置への音声コマンドが含まれている。
【００１０】
さらに、ワイヤレスカセットアダプタは、カセットプレーヤの巻取り／繰出しリール及びキャプスタンの動き、ならびにピックアップヘッドの起動を判定することによって、ワイヤレスモバイル装置への命令を提供するように構成することができる。動き及び起動（すなわち動作）は、個々のコマンドがカセットプレーヤからワイヤレスモバイル装置に返送されたことを示している。
【発明を実施するための最良の形態】
【００１１】
以下、図面を参照して本発明の実施の形態について説明する。  
なお、各図中、参照番号の最も左側の数字は、その参照番号が最初に出てくる図を特定する。異なる図で同じ参照番号が使用されている場合は、同様の又は同一の構成要素を示している。
【００１２】
以下に、既存のオーディオシステムのカセットプレーヤに挿入することができる標準オーディオカセットの形状要素で実装されるワイヤレスカセットアダプタについて説明する。ワイヤレスカセットアダプタは、オーディオデータをオーディオシステムに転送してそのオーディオシステムを介して再生するためのインターフェースをワイヤレスモバイル装置に提供する。さらに、ワイヤレスカセットアダプタは、音声データを受け取り、それをワイヤレスモバイル装置に提供することができ、音声データにはユーザからの通信及びコマンドが含まれている。ワイヤレスカセットアダプタは、再生、巻戻し、早送りを行うための個々の手動の命令を示す、カセットプレーヤの巻取り／繰出しリール及びキャプスタンの起動及び動き（すなわち、動作）を感知するように実装されている。こうした手動の命令は、ワイヤレスモバイル装置に返送される。
【００１３】
図１は、複数のワイヤレスモバイル装置と通信するワイヤレスカセットアダプタ及びオーディオシステムを有するワイヤレス通信システムを示す図で、例示的なワイヤレス通信システム１００を示している。このワイヤレス通信システム１００は、標準オーディオカセットハウジング１０７として実装されるワイヤレスカセットアダプタ１０５を備えている。ハウジング１０７は、標準オーディオカセットプレーヤが受けることができる標準オーディオカセットの形状要素に従って物理的な寸法で設定されている。
【００１４】
ワイヤレスカセットアダプタ１０５は、１つ又は複数のワイヤレス技術を備える構成である。ワイヤレス技術の一例は、ブルートゥース技術である。ワイヤレス技術のその他の例には、ＦＭ（周波数変調）、スペクトラム拡散、所有権のあるワイヤレスプロトコルが含まれている。ワイヤレス技術によって、ワイヤレスカセットアダプタ１０５は、オーディオ出力を提供する１つ又は複数のワイヤレスモバイル装置と通信する。この例では、ワイヤレスカセットアダプタ１０５は、どちらもオーディオ出力を生成するモバイル電話すなわち携帯電話１１０及びラップトップコンピュータ１１５と通信する。こうしたワイヤレスモバイル装置のその他の例には、それだけに限らないが、ＭＰ３プレーヤ、ＤＶＤ／ＣＤプレーヤ、デジタルレコーダが含まれている。
【００１５】
ワイヤレスカセットアダプタ１０５は、ラップトップコンピュータ１１５とワイヤレスリンク１２０−１を、携帯電話１１０とワイヤレスリンク１２０−２を確立する。このようなワイヤレスリンク１２０（１２０−１，１２０−２）によって、データは、ワイヤレスカセットアダプタ１０５と携帯電話１１０及びラップトップコンピュータ１１５のそれぞれとの間で通信されるようになる。データには、携帯電話１１０及びラップトップコンピュータ１１５から送信されワイヤレスカセットアダプタ１０５で受け取られるオーディオデータや、ワイヤレスカセットアダプタ１０５から携帯電話１１０及びラップトップコンピュータ１１５に送信されるオーディオデータ及びコマンドデータが含まれている。
【００１６】
この実施形態では、ワイヤレスカセットアダプタ１０５を「マスタ」とみなし、また、ワイヤレスモバイル装置（例えば、携帯電話１１０及びラップトップコンピュータ１１５）を「スレーブ」とみなしている。ワイヤレスカセットアダプタ１０５は「マスタ」として、どの「スレーブ」と通信するかを決定する。「スレーブ」同士は通信しない。ブルートゥースワイヤレス技術では、「マスタ」のワイヤレスカセットアダプタ１０５と「スレーブ」の携帯電話１１０及びラップトップコンピュータ１１５との間にワイヤレスリンク１２０を介して「ピコネット」が確立される。
【００１７】
上述したように、ワイヤレスカセットアダプタ１０５は、標準オーディオカセットプレーヤに挿入し、それで受けられることができる標準オーディオカセットの形状要素で実装される標準オーディオカセットハウジング１０７を備えている。ワイヤレスカセットアダプタ１０５は、カセットプレーヤの巻取り／繰出しリール機構（図示せず）を受けるための物理的な開口部、すなわち、アパーチャ１２５−１及び１２５−２を備えている。カセットプレーヤは、ほとんどのオーディオシステム、特に自動車用オーディオシステムに通常設置されている標準アナログカセットプレーヤである。さらに、ワイヤレスカセットアダプタ１０５は、カセットプレーヤのキャプスタンを受けるための物理的な開口部、すなわち、アパーチャ１３０−１、１３０−２、１３０−３及び１３０−４を備えている。ワイヤレスカセットアダプタ１０５のカセットプレーヤへの挿入及びカセットプレーヤからの取出しを容易にするためのガイド１３５−１及び１３５−２が、ワイヤレスカセットアダプタ１０５に含まれている。
【００１８】
ワイヤレスカセットアダプタ１０５は、カセットプレーヤの巻取りリール、繰出しリール、及びキャプスタンの動き、ならびにピックアップヘッド１５０の起動を感知するための変換器１４０（１４０−１乃至１４０−７）を備えている。こうした動き及び起動は、ユーザがカセットプレーヤ上の「再生」ボタン、「巻戻し」ボタン、又は「早送り」ボタンを押すなど、カセットプレーヤから開始される手動の命令又はコマンドを示している。特に、変換器１４０−１及び１４０−２は、開口部１２５−１及び１２５−２と接続されたカセットプレーヤの巻取り／繰出しリールの時計回りの動き１４２及び反時計回りの動き１４３を感知するように構成されている。巻取り／繰出しリールの個々の方向への動き（例えば、時計回りの動き１４２又は反時計回りの動き１４３）は、カセットプレーヤによって指令される早送り又は巻戻しの動作を示し、早送りの動作は再生を含んでいる。変換器１４０−３、１４０−４、１４０−５及び１４０−６は、開口部１３０−１、１３０−２、１３０−３及び１３０−４と接続されたカセットプレーヤのキャプスタンの起動を感知する。個々のキャプスタンの起動は、カセットプレーヤによって指令される早送り又は巻戻しの動作を示す。したがって、１つ又は複数のキャプスタンがアクティブになると、変換器１４０−３、１４０−４、１４０−５及び１４０−６が、そうしたキャプスタンの起動を感知する。変換器１４０−７は、カセットプレーヤのピックアップヘッド１５０の起動を感知する。カセットプレーヤのピックアップヘッドの起動は、カセットプレーヤによって指令される再生モードを示す。
【００１９】
カセットアダプタ１０５は、カセットプレーヤのピックアップヘッド１５０にアナログオーディオ信号を提供する磁気ヘッド１４５を備えている。上述したように、変換器１４０−７は、ピックアップヘッド１５０がアクティブになるとき（すなわち、磁気ヘッド１４５と接触するとき）を感知する。磁気ヘッド１４５とピックアップヘッド１５０が互いに接触すると、カセットアダプタ１０５から単一方向の通信（すなわち、出力部）１５５を介してオーディオ信号が提供される。この出力部１５５は、オーディオシステム１６０にオーディオを提供する１つ又は複数のチャネル、具体的にはステレオチャネルを表すことができる。オーディオシステム１６０は、カセットプレーヤに接続される又はそれを含む自動車用オーディオシステム及び家庭用オーディオシステムが備えている。ワイヤレス通信システム１００によって、ワイヤレスモバイル装置１１０及び１１５が出力するオーディオデータをワイヤレスカセットアダプタ１０５に送り、オーディオシステム１６０を介して再生できるようになる。
【００２０】
携帯電話１１０やラップトップコンピュータ１１５などのワイヤレスモバイル装置が、ワイヤレスカセットアダプタ１０５へのワイヤレス接続をワイヤレスリンク１２０によって維持している間、ワイヤレスモバイル装置から送信されたオーディオデータは、ワイヤレスカセットアダプタ１０５で受け取られる。ワイヤレスカセットアダプタ１０５は、「マスタ」として、任意の特定の時間にワイヤレスモバイル装置のどのオーディオデータを受け取るかを決定する。受け取ったデータは、ワイヤレスカセットアダプタ１０５によって処理され、磁気ヘッド１４５を介してカセットプレーヤのピックアップヘッド１５０にアナログフォーマットで渡される。オーディオデータは、その後、オーディオシステム１６０を介して再生される。このようにして、ワイヤレスモバイル装置からのオーディオデータを、そうした装置内の限られたスピーカよりも堅固なオーディオシステムを介して再生することができる。
【００２１】
ワイヤレスカセットアダプタ１０５を使用して、ワイヤレスモバイル装置にコマンドを供給することもできる。ユーザがカセットプレーヤ上で再生ボタン、早送りボタン、又は巻戻しボタンなどの制御を起動した場合、カセットプレーヤの巻取り／繰出しリール及びピックアップヘッド１５０が起動され、それは変換器１４０によって感知することができる。この変換器１４０がそうした動き又は起動を感知すると、カセットアダプタ１０５は変換器１４０が感知したことを処理して装置コマンド（例えば、再生、早送り、巻戻し）にし、その装置コマンドを、ワイヤレスリンク１２０を介して個々のワイヤレスモバイル装置（例えば、携帯電話１１０、ラップトップコンピュータ１１５）に渡す。
【００２２】
カセットアダプタ１０５は、さらに、ワイヤレスカセットアダプタ１０５への音声入力エントリを可能にする外部マイクロホン１６５を装備することができる。マイクロホン１６５への音声入力には、ワイヤレスリンク１２０を介してワイヤレスモバイル装置（例えば、携帯電話１１０及びラップトップコンピュータ１１５）に送信される音声データ（音声コマンドを含む）が含まれ、これは、ワイヤレスモバイル装置で処理してコマンドにすることができる。マイクロホン１６５は、特に携帯電話１１０を使用して会話を行うときに使用される。マイクロホンブーム（ｍｉｃｒｏｐｈｏｎｅ  ｂｏｏｍ）１７０を提供することができ、マイクロホン１６５がマイクロホンブーム１７０の末端に取り付けられている。マイクロホンブーム１７０は、音声入力に影響を与えることがあるカセットプレーヤのモータやリールのノイズなど、外部からの雑音を遠ざけてマイクロホン１６５を配置するのに十分な長さがある。
【００２３】
マイクロホン１６５によって、ユーザは、音声データをワイヤレスモバイル装置に入力できるようになる。マイクロホン１６５はユーザの音声入力を受け取り、ワイヤレスリンク１２０−２を介してそれを携帯電話１１０に渡す。このようにして、会話を行う際に、携帯電話１１０上のマイクロホン又はオーディオピックアップの代わりに、マイクロホン１６５が使用される。音声入力は送信され、ワイヤレスモバイル装置でコマンドとして処理することができる。例えば、特に携帯電話１１０が通信するとき、個々の電話番号を呼び出すための音声入力は、マイクロホン１６５を介して行われる。携帯電話は音声認識モードであり、その入力を処理してコマンドにして個々の電話番号を呼び出す。
【００２４】
図２は、ワイヤレスモバイル装置の構成図で、ワイヤレスカセットアダプタ１０５の例示的な実施形態をより詳しく示している。上述したように、ワイヤレスカセットアダプタ１０５には、ワイヤレスリンクを確立してワイヤレスモバイル装置と通信するために使用される１つ又は複数のワイヤレス技術が組み込まれている。この例では、ブルートゥース技術について説明するが、他のワイヤレス技術を使用することも可能である。
【００２５】
ワイヤレスカセットアダプタ１０５は、１つ又は複数のワイヤレスモバイル装置（例えば、携帯電話１１０及びラップトップコンピュータ１１５）とワイヤレス通信を確立する（すなわち、ワイヤレスリンク１２０のようなワイヤレスリンクを確立する）ためのブルートゥースチップセット又はＩＣ（集積回路）２００を備えている。この実施形態では、ブルートゥースＩＣ２００は、ワイヤレスカセットアダプタ１０５に組み込まれた別個のハードウェアモジュールである。以下にさらに説明するが、他の実施形態では、ブルートゥースＩＣ２００の一部として記述するコンポーネントを、ワイヤレスカセットアダプタ１０５の一部として直接組み込むことができる。言い換えれば、個々のコンポーネントをブルートゥースＩＣ２００から分離し、ワイヤレスカセットアダプタ１０５上に直接配置する（組み込む）ことができる。
【００２６】
ブルートゥースＩＣ２００は、ワイヤレスモバイル装置へのワイヤレスインターフェースを提供するブルートゥース無線機２０５を備えている。このブルートゥース無線機２０５は、２．４ＧＨｚ  ＩＳＭ（工業、化学、医療）周波数範囲で動作する。ブルートゥースＩＣ２００は、特に、データ（すなわち通信及び命令）をワイヤレスカセットアダプタ１０５から受け取り、処理し、ワイヤレスカセットアダプタ１０５に送信するために使用される。携帯電話１１０やラップトップコンピュータ１１５などのワイヤレスモバイル装置がオーディオデータを送信し、ブルートゥース無線機２０５がそれを受信する。ブルートゥース無線機２０５は、ワイヤレスモバイル装置に通信（音声データ、音声コマンド）及び命令を送るように構成されている。
【００２７】
ブルートゥース無線機２０５は、ＲＦ（無線周波数）データを送受信するためのアンテナ２１０を備えている。この実施形態では、アンテナ２１０はブルートゥース無線機２０５の一部であるが、他の実施形態では、アンテナ２１０をブルートゥース無線機２０５から分離する又はブルートゥースＩＣ２００から分離することができる。
【００２８】
ブルートゥース無線機２０５は、さらに、アンテナ２１０を介してＲＦデータを交互に送信又は受信するトランシーバ２１５を備えている。このトランシーバ２１５は、ワイヤレスモバイル装置から受け取ったオーディオデータを含む着信ＲＦデータを受け取り、増幅し、フィルタリングし、検出する受信機を備えている。この受信機は、受け取ったアナログ無線信号をデジタルデータに変換するためのアナログデジタル変換器（ＡＤＣ）を有することができる。したがって、ワイヤレスモバイル装置から受け取ったオーディオデータは最終的にデジタルデータに変換されて、さらに処理される。トランシーバ２１５は、さらに、データをワイヤレスモバイル装置に送信する送信機を備えている。この送信機は、デジタルデータをＲＦデータとして送信されるアナログデータに変換するためのデジタルアナログ変換器（ＤＡＣ）を有することができる。
【００２９】
ワイヤレスカセットアダプタ１０５は、信号妨害を回避するための周波数ホッピングを利用している。トランシーバ２１５の送信機内に含まれる変調器は、アナログデータを２．４ＧＨｚ範囲内の正確なホップ周波数キャリア上に変調する。データはその後アンテナ２１０を介して送信される。トランシーバ２１５は、さらに、無線信号を送受信するときに受信機及び送信機を正確なホップ周波数キャリアに同調させる合成器を備えることができる。
【００３０】
ブルートゥースＩＣ２００は、ブルートゥースＩＣ２００内のデータ及びカセットアダプタ１０５との間で送受信されるデータを管理するために使用されるプロセッサ又はマイクロコントローラ２２０を備えている。この例では、マイクロコントローラ２２０は、以下に説明するワイヤレスカセットアダプタ１０５内に含まれる別個のプロセッサとは異なるが、他の実施形態では、ワイヤレスカセットアダプタ１０５の別個のプロセッサ（以下に説明するものなど）が、マイクロプロセッサ２２０の機能を果たすことも可能である。
【００３１】
ブルートゥースＩＣ２００は、時分割二重化（ｔｉｍｅ  ｄｉｖｉｓｉｏｎ  ｄｕｐｌｅｘｉｎｇ、ＴＤＤ）をサポートするためのクロック２２５を備えており、これにより、「マスタ」ワイヤレスカセットアダプタ１０５と複数のスレーブ（例えば、携帯電話１１０及びラップトップコンピュータ１１５）との間での通信が可能になる。ＴＤＤは、「マスタ」とその「スレーブ」を利用してクロック同期する。言い換えれば、「マスタ」のクロックが、その「スレーブ」のクロックと同期する。クロック２２５は、具体的にはその「スレーブ」のクロックと同期する。具体的には、「マスタ」（ワイヤレスカセットアダプタ１０５）を１つ又は複数の「スレーブ」（例えば、携帯電話１１０及びラップトップコンピュータ１１５）に接続する上述したブルートゥース「ピコネット」が確立されると、その「スレーブ」のクロックがクロック２２５と同期する。
【００３２】
ブルートゥースＩＣ２００は、フラッシュメモリ、ＲＡＭ、ＲＯＭを有するメモリモジュール２３０を備えている。この例では別個のモジュールとして示すが、他の実施形態では、メモリ２３０は、ワイヤレスカセットアダプタ１０５の別個のメモリ（以下に説明する）内に含ませることも可能である。
【００３３】
メモリ２３０は、具体的にはリンクマネージャ２３５及びホストコントローラインターフェース（ＨＣＩ）２４０を格納している。リンクマネージャ２３５は、ワイヤレスカセットアダプタ１０５を個々の装置（例えば、携帯電話１１０又はラップトップコンピュータ１１５）にリンクさせる（すなわち、通信を確立する）のに使用される。ＨＣＩ２４０は、装置への通信（すなわち、リンク）を確立するための命令をリンクマネージャ２３５に供給する。ＨＣＩ２４０は、ワイヤレスカセットアダプタ１０５上のプロセッサによって処理されるアプリケーションによって開始（又は指令）することができる。
【００３４】
ブルートゥースＩＣ２００は、さらに、ブルートゥース無線機２０５からデータパケットを受け取り、ブルートゥース無線機２０５にデータパケットを渡すためのベースバンドプロセッサ２４５を備えている。ベースバンドプロセッサ２４５は、受け取ったデータパケットのタイプと、そのデータパケットがどのように処理されているかを判定する。例えば、音声データを受け取った場合、遅延を回避するために、ベースバンドプロセッサ２４５は、そうした音声データをワイヤレスカセットアダプタ１０５のプロセッサ（すなわち、以下に説明する、個々のアプリケーションを実装するプロセッサ２５５）によって処理されるアプリケーションに直接送るように指令する。オーディオデータ又はコマンドデータを受け取った場合、ベースバンドプロセッサ２４５は、さらなる処理のためにそうしたデータ（オーディオ又はコマンド）をリンクマネージャ２３５及び／又は他の装置ならびに論理リンク制御及び適応プロトコル（Ｌ２ＣＡＰ）モジュールなどの論理モジュール（図示せず）を介して送ることができる。こうしたモジュールはデータ保全性評価を行って、データが適切に受け取られたことを保証するためのチェックをデータパケットに対して行うことができる。データ保全性処理は特に、データパケットの品質が、送受信されるデータパケットの遅延よりも著しく重要であるときに行われる。
【００３５】
物理入出力接続２５０は、ブルートゥースＩＣ２００と、プロセッサやメモリなど、ワイヤレスカセットアダプタ１０５上の他の装置との間の通信バス接続などの入出力接続をつなぐ。こうした入出力（接続）には、汎用非同期送受信器（ＵＡＲＴ）、ＲＳ−２３２、ユニバーサルシリアルバス（ＵＳＢ）といったバスをサポートするための入出力が含まれている。
【００３６】
ワイヤレスカセットアダプタ１０５は、さらに、プロセッサ２５５及びランダムアクセスメモリ（ＲＡＭ）、読取り専用メモリ（ＲＯＭ）、取外し可能（すなわち、ポータブル）メモリを含むことができるメモリ２６０を備えている。メモリ２６０は、プロセッサ２５５によって処理されるアプリケーション（すなわち、プログラム、命令など）を格納する。メモリ２６０内に格納することができるアプリケーションの例には、変換器（例えば、変換器１４０）入力を、再生、巻戻し、早送りなど、ワイヤレスモバイル装置によって実行されるコマンド又は命令に変換するプログラムや、オーディオデータ及びデジタル（すなわち、コマンド）データを処理するためのアプリケーションが含まれている。
【００３７】
電源管理モジュール２６５は、ワイヤレスカセットアダプタ１０５へのスタンドアロンの電源を提供し、（交換可能な又は充電可能な）１つ又は複数のバッテリを備えている。電源管理モジュール２６５は、さらに、電源を調節するのに適した電源管理サブモジュール又は装置を備えることができる。ワイヤレスカセットアダプタ１０５は、さらに、特に、図１に示すマイクロホン１６５からの音声入力を受け取り処理するためのマイクロホン回路２７０を備えている。
【００３８】
ＦＭ、ＡＭ、短波など、１つ又は複数の無線帯域をサポートするための無線受信機２７５をワイヤレスカセットアダプタ１０５に備えることができる。無線受信機２７５は、起動すると、ＲＦ無線ブロードキャストを受け取り、これが、最終的に磁気ヘッド１４５を介してピックアップヘッド１５０に渡され、オーディオシステム１６０上で再生される。無線受信機２７５は、さらに、受け取ったＲＦ無線ブロードキャストをプロセッサ２５５によって処理されるデジタルデータに変換することができる。無線受信機２７５からオーディオシステム１６０への出力は、通信がワイヤレスカセットアダプタ１０５及び図１に示した携帯電話１１０などの装置から開始されるときなど、最優先のアプリケーションが発生するときに中断されることがある。
【００３９】
Ｄ／Ａ（デジタル・アナログ）変換器（ＤＡＣ）２８０は、デジタル信号を受け取り、それを磁気ヘッド１４５が使用することができるアナログ信号に変換する。受け取るデジタル信号には、図１に示した携帯電話１１０やラップトップコンピュータ１１５などの装置からワイヤレスカセットアダプタ１０５が受け取るオーディオ信号データが含まれている。デジタル信号には、無線受信機２７５が受け取り変換したＲＦ無線ブロードキャストも含まれている。磁気ヘッド１４５及びピックアップヘッド１５０は、オーディオシステム１６０へのインターフェースを確立する。変換されたアナログ信号が磁気ヘッド１４５で複製され、カセットプレーヤのピックアップヘッド１５０がそれを読み取る。次に、ピックアップヘッド１５０が、その変換されたオーディオ信号を、出力部１５５を介して上述のオーディオシステム１６０に送る。
【００４０】
図３は、ワイヤレスモバイル装置の構成図で、図１に示した携帯電話１１０やラップトップコンピュータ１１５などの例示的なワイヤレスモバイル装置３００を示している。ワイヤレスモバイル装置３００は、チップセット又はＩＣ３０５を備えている。上述した図２に示したブルートゥースＩＣ２００と同様に、ブルートゥースＩＣ３０５も、物理的な設計及びコスト上の制約などの要因に応じていくつかの実施形態で実装することができる。この例ではブルートゥース技術について説明するが、ワイヤレスモバイル装置３００がワイヤレスカセットアダプタ１０５と通信できるようにする他のワイヤレス技術を使用することも可能である。
【００４１】
この実施形態では、ブルートゥースＩＣ３０５は、アンテナ３１５及びトランシーバ３２０を有するブルートゥース無線機３１０を備えている。上述した図２のように、アンテナ３１５はアンテナ２１０と同様の構成であり、トランシーバ３２０はトランシーバ２１５と同様の構成である。
【００４２】
ブルートゥースＩＣ３０５は、フラッシュメモリ、ＲＡＭ、ＲＯＭを含むことができるメモリ３２５を備えている。このメモリ３２５は、さらに、上述した図２に示したリンクマネージャ２３５及びＨＣＩ２４０と同様のリンクマネージャ及びＨＣＩを格納することができる。
【００４３】
ブルートゥースＩＣ３０５は、さらにクロック３３０を備えている。ワイヤレスカセットアダプタ１０５などの「マスタ」に対する「スレーブ」として、クロック３３０は、マスタのクロック（例えば、図２に示したクロック２２５）に同期する。クロック同期は特に、複数の「スレーブ」が「マスタ」と通信するとき、ワイヤレスモバイル装置３００がその間に「マスタ」（例えば、ワイヤレスカセットアダプタ１０５）と通信するタイムスロットを決定する際に使用される。
【００４４】
ベースバンドプロセッサ３３５がブルートゥースＩＣ３０５に含まれている。ベースバンドプロセッサ３３５は、ワイヤレスカセットアダプタ１０５から受け取ったデータパケットのタイプ、及びワイヤレスカセットアダプタ１０５に送られるデータパケットのタイプを判定する。データパケットを受け取る際に、図２に示したベースバンドプロセッサ２４５と同様のベースバンドプロセッサ３３５は、データパケットのタイプ（例えば、音声データ、コマンドデータ、オーディオデータなど）と、そのデータパケットがどのように処理されているかを判定する。データパケットは、その後、ベースバンドプロセッサ３３５によって、図２に示したベースバンドプロセッサ２４５に関して上述したリンクマネージャやＬ２ＣＡＰなどの個々のモジュールに渡される。
【００４５】
物理入出力接続３４０は、ブルートゥースＩＣ３０５と、プロセッサやメモリなど、ワイヤレスモバイル装置３００上の他の装置との間の通信バス接続などの入出力接続をつなぐ。こうした入出力（接続）には、ＵＡＲＴ、ＲＳ−２３２、ＵＳＢといったバスをサポートするための入出力が含まれている。
【００４６】
ワイヤレスモバイル装置３００は、１つ又は複数のプロセッサ３４５及びメモリ３５０を備えている。このメモリ３５０は、ＲＡＭ、ＲＯＭ、取外し可能な（すなわち、ポータブル）メモリを備えることができる。メモリ３５０は、プロセッサ３４５によって処理されるアプリケーション（すなわち、プログラム、命令など）を格納するために使用される。アプリケーションの例には、音声認識プログラム、再生命令（すなわち、再生、巻戻し、早送りを行うために使用される命令、再生メニュー）、また、特に携帯電話の場合には電話帳が含まれている。
【００４７】
電源管理モジュール３５５は、スタンドアロンの電源を提供し、（交換可能な又は充電可能な）１つ又は複数のバッテリを備えることができる。電源管理モジュール３５５は、さらに、電源を調節するのに適した電源管理サブモジュール又は装置を備えることができる。
【００４８】
ワイヤレスモバイル装置３００は、さらに、オーディオ及び／又は音声入力を受け取るためのオーディオ又は外部入力モジュール３６０を備えている。こうしたオーディオ及び／又は音声入力を処理し、最終的にデータとしてワイヤレスモバイル装置３００からワイヤレスカセットアダプタ１０５に送ることができる。
【００４９】
ワイヤレスモバイル装置３００は、さらに、オーディオをワイヤレスモバイル装置３００の内蔵スピーカ（図示せず）に提供するオーディオ出力モジュール３６５を備えている。ただし、「マスタ」（すなわち、ワイヤレスカセットアダプタ１０５）と通信するとき、オーディオ出力モジュール３６５は、オーディオデータをブルートゥースＩＣ３０５に送り、それが処理され、ＲＦデータとして「マスタ」に送信される。オーディオ出力データを内蔵スピーカ及びブルートゥースＩＣ３０５に送るためのスイッチ（図示せず）を実装することができる。
【００５０】
図４は、ワイヤレスモバイル装置からオーディオデータを受け取り、そのオーディオデータをオーディオシステムで再生するワイヤレスカセットアダプタを示す流れ図で、ワイヤレスカセットアダプタ１０５で実行される、ワイヤレスモバイル装置からオーディオデータを受け取り、そのオーディオデータをオーディオシステム上で再生するための処理４００を示している。この処理４００を、論理フローグラフ中のブロックの集まりとして示している。このブロックの集まりは、ハードウェア、ソフトウェア、あるいはその組合せ内に実装することができる一連の動作を示している。ソフトウェアでは、これらのブロックは、１つ又は複数のプロセッサによって実行されるときに記載された動作を実行するコンピュータ命令を示している。
【００５１】
まず、ブロック４０５で、ワイヤレスカセットアダプタ１０５はオーディオシステムへの接続を確立する。この動作は、自動車用オーディオシステムなどのオーディオシステムの一部である又はそれに接続されたカセットプレーヤにワイヤレスカセットアダプタ１０５を挿入することによって行われる。物理的なオーディオ接続は、ワイヤレスカセットアダプタ１０５の磁気ヘッド１４５がカセットプレーヤのピックアップヘッド１５０に接触するときに確立される。
【００５２】
次に、ブロック４１０で、ワイヤレスカセットアダプタ１０５は、携帯電話、ラップトップコンピュータ、ＤＶＤ／ＣＤプレーヤ、ＭＰ３プレーヤなどのワイヤレスモバイル装置とのワイヤレス接続（例えば、ワイヤレス接続１２０）を確立する。このワイヤレス接続は、ワイヤレスカセットアダプタ１０５が、接続を要求するワイヤレスモバイル装置に無線信号を送ることによって開始することができる。あるいは、接続を探しているワイヤレスモバイル装置がワイヤレスカセットアダプタ１０５に要求を送り、応答を受け取ることができる。通信は、ワイヤレスカセットアダプタ１０５及びワイヤレスモバイル装置内に含まれるワイヤレス無線機（例えば、無線機２０５及び３１０）を介して行われる。
【００５３】
次に、ブロック４１５で、ワイヤレスカセットアダプタ１０５は、ワイヤレスモバイル装置からオーディオデータを受け取る。このオーディオデータは、ワイヤレスモバイル装置によって送信され、カセットプレーヤでアナログＲＦデータとして受け取られる。
【００５４】
次に、ブロック４２０で、アナログＲＦデータは、ワイヤレスカセットアダプタ１０５内に含まれる無線機２０５のトランシーバ２１５でデジタルデータに変換される。デジタルデータは、ワイヤレスカセットアダプタ１０５のプロセッサ２５５によって使用することができる。
【００５５】
いくつかの実施形態では、ワイヤレスカセットアダプタ１０５は、上述した図２に示した無線受信機２７５などの無線受信機を備えることができる。ワイヤレスカセットアダプタが無線ブロードキャストを受け取る（すなわち、ブロック４２５の「ＹＥＳ」分岐をたどる）場合、無線受信機は中断される（ブロック４３０）。そうではなく、無線受信機がオンでない場合、あるいは無線受信機が提供されていない場合（すなわち、ブロック４２５の「ＮＯ」分岐をたどる場合）、受け取ったデータがオーディオシステムで再生すべきオーディオデータ（例えば、音楽）であるかどうかの判定が行われる（ブロック４３５）。上述したように、ベースバンドプロセッサ２４５を使用してデータパケット及びコンテンツを区別し、特に、受け取ったデータが音楽であるか、音声であるかなど、そのタイプを判定することができる。例えば、オーディオデータは、双方向の会話（すなわち、携帯電話を使用する通信）で使用される音声データとは区別される。
【００５６】
データがオーディオデータであると判定された（すなわち、ブロック４３５の「ＹＥＳ」分岐をたどる）場合、そのオーディオデータに対してデータ保全性チェックが行われる（ブロック４４０）。この評価は、巡回冗長検査（ＣＲＣ）又は他のエラー訂正方式及び方法を使用して、受け取った変換済みのデジタルオーディオデータに対して行うことができる。ブロック４４０の動作は、ワイヤレスカセットアダプタ１０５のリンクマネージャ２３５及び／又はＬ２ＣＡＰモジュールなどの個々の装置及び／又はソフトウェアモジュールによって行うことができる。
【００５７】
次に、ブロック４４５で、デジタルオーディオデータがアナログデータに変換される。具体的には、デジタルオーディオデータは、ワイヤレスカセットアダプタ１０５の磁気ヘッド１４５が使用することができるアナログデータに変換され、カセットプレーヤのピックアップヘッド１５０に渡される。
【００５８】
最後に、ブロック４５０で、アナログオーディオデータ（すなわち、変換済みのデジタルオーディオデータ）がオーディオシステムに提供される。アナログオーディオデータは、ワイヤレスカセットアダプタ１０５の磁気ヘッド１４５からカセットプレーヤのピックアップヘッド１５０に渡されて、オーディオシステム上で再生される。
【００５９】
オーディオデータを受け取らない（すなわち、ブロック４３５の「ＮＯ」分岐をたどる）場合は、音声データを受け取る（ブロック４５５）。例えば、受け取った音声データは、携帯電話を介した着信音声呼であることがある。遅延を回避するために、データ保全性などの処理は音声データに対して行われない。代わりに、音声データは直接送信されてアナログオーディオデータに変換され（ブロック４４５）、オーディオシステムに転送され、オーディオシステムを介して再生される。
【００６０】
図５は、音声データ及び／又はコマンドをワイヤレスモバイル装置に送るワイヤレスカセットアダプタを示す流れ図で、ワイヤレスカセットアダプタ１０５で実行される、ワイヤレスモバイル装置に音声データ及び／又はコマンドを送るための処理５００を示している。この処理５００を、論理フローグラフ中のブロックの集まりとして示している。このブロックの集まりは、ハードウェア、ソフトウェア、あるいはその組合せ内に実装することができる一連の動作を示している。ソフトウェアでは、これらのブロックは、１つ又は複数のプロセッサによって実行されるときに記載した動作を実行するコンピュータ命令を示している。
【００６１】
まず、ブロック５０５で、ワイヤレスカセットアダプタ１０５は、携帯電話、ラップトップコンピュータ、ＤＶＤ／ＣＤプレーヤ、ＭＰ３プレーヤなどのワイヤレスモバイル装置とのワイヤレス接続（例えば、ワイヤレス接続１２０）を確立する。このワイヤレス接続は、ワイヤレスカセットアダプタ１０５が、接続を要求するワイヤレスモバイル装置に無線信号を送ることによって開始することができる。あるいは、接続を探しているワイヤレスモバイル装置がワイヤレスカセットアダプタ１０５に要求を送り、応答を受け取ることができる。通信は、ワイヤレスインターフェース、具体的にはワイヤレスカセットアダプタ１０５及びワイヤレスモバイル装置内に含まれるワイヤレス無線機（例えば、無線機２０５及び３１０）を介して行われる。
【００６２】
次に、ブロック５１０で、ワイヤレスカセットアダプタ１０５は、マイクロホン１６５からの音声データであってもよい入力を受け取り、これがワイヤレスモバイル装置に渡される。この入力は、ワイヤレスカセットアダプタ１０５が挿入されるカセットプレーヤの個々のリール又はキャプスタンの動き、あるいはピックアップヘッドの起動を感知する個々の１つ又は複数の変換器からの入力でよい。
【００６３】
カセットプレーヤの個々のリール及びキャプスタンの動きとカセットプレーヤのピックアップヘッドの起動は、カセットプレーヤで手動の動作又は制御が開始されたことを示している。手動の動作又は制御の例には、再生、早送り、巻戻しを行うためのコマンドが含まれている。ワイヤレスモバイル装置が、カセットプレーヤで開始される動作（すなわち、手動の命令を示すコマンド）に追従できるようにする手段を備えるとき、変換器から受け取った入力はコマンドに変換されてワイヤレスモバイル装置に送られ、それによって個々の１つ又は複数の動作が実行される。
【００６４】
最後に、ブロック５１５で、音声データ又はデジタルコマンドは、ワイヤレスカセットアダプタ１０５の無線機２０５を介してワイヤレスモバイル装置に送られる。無線機２０５は、デジタルコマンドをＲＦアナログデータに変換し、それが、ワイヤレスカセットアダプタ１０５とワイヤレスモバイル装置の間の通信を確立するワイヤレスリンク１２０によって送信される。
【００６５】
音声データ及びコマンドは、ユーザが遅延に気づくことなく送信することができる。言い換えれば、ユーザは、音声データ及びコマンドの「同時」送信を利用することができ、その結果、変換器のコマンドを開始する動作を実行する間に、ユーザが音声入力を提供することができる。
【００６６】
＜結論＞
上述したワイヤレス通信システムは、１つ又は複数のワイヤレスモバイル装置と通信しそうした装置からのオーディオをオーディオシステムによって再生できるようにするワイヤレスカセットアダプタを備えている。このワイヤレスカセットアダプタは、さらに、コマンド及び音声データをワイヤレスモバイル装置に送ることができるように構成されている。本発明を、構造上の特徴及び／又は方法上の動作に特有の言葉で説明してきたが、添付の特許請求の範囲で定義されている本発明は必ずしも、説明した特有の特徴又は動作に限定されるものではないことを理解されたい。そうではなくて、これらの特有の特徴及び動作は、特許請求の範囲に記載の発明を実施する例示的な形態として開示されている。
【図面の簡単な説明】
【００６７】
【図１】複数のワイヤレスモバイル装置と通信するワイヤレスカセットアダプタ及びオーディオシステムを有するワイヤレス通信システムを示す図である。
【図２】ワイヤレスカセットアダプタの構成図である。
【図３】ワイヤレスモバイル装置の構成図である。
【図４】ワイヤレスモバイル装置からオーディオデータを受け取り、そのオーディオデータをオーディオシステムで再生するワイヤレスカセットアダプタを示す流れ図である。
【図５】音声データ及び／又はコマンドをワイヤレスモバイル装置に送るワイヤレスカセットアダプタを示す流れ図である。
【符号の説明】
【００６８】
１００  ワイヤレス通信システム
１０５  ワイヤレスカセットアダプタ
１０７  標準オーディオカセットハウジング
１１０  モバイル電話（携帯電話）
１１５  ラップトップコンピュータ
１２０，１２０−１，１２０−２  ワイヤレスリンク
１２５−１，１２５−２  アパーチャ（開口部）
１３０−１，１３０−２，１３０−３，１３０−４  アパーチャ
１３５−１，１３５−２  ガイド
１４０，１４０−１，１４０−２，１４０−３，１４０−４，１４０−５，１４０−６，１４０−７  変換器
１４５  磁気ヘッド
１５０  ピックアップヘッド
１５５  出力部
１６０  オーディオシステム
１６５  外部マイクロホン
１７０  マイクロホンブーム
２００  ブルートゥースＩＣ
２０５  ブルートゥース無線機
２１０  アンテナ
２１５  トランシーバ
２２０  プロセッサ又はマイクロコントローラ
２２５  クロック
２３０  メモリモジュール
２３５  リンクマネージャ
２４０  ホストコントローラインターフェース
２４５  ベースバンドプロセッサ
２５０  物理入出力接続
２５５  プロセッサ
２６０  メモリ
２６５  電源管理モジュール
２７０  マイクロホン回路
２７５  無線受信機
２８０  Ｄ／Ａ変換器
３００  ワイヤレスモバイル装置
３０５  チップセット又はブルートゥースＩＣ
３１０  ブルートゥース無線機
３１５  アンテナ
３２０  トランシーバ
３２５  メモリ
３３０  クロック
３３５  ベースバンドプロセッサ
３４０  物理入出力接続
３４５  プロセッサ
３５０  メモリ
３５５  電源管理モジュール
３６０  オーディオ又は外部入力モジュール
３６５  オーディオ出力モジュール
【図１】
2005322397.tif 000003
【図２】
2005322397.tif 000004
【図３】
2005322397.tif 000005
【図４】
2005322397.tif 000006
【図５】
2005322397.tif 000007
【外国語明細書】
2005322397000001.pdf